(57)【特許請求の範囲】
【請求項１】
根枷を有する切断された標識柱の地面に埋没した根元に押圧挿入され、前記切断された標識柱の基部を起立固定するための切断標識保持具であって、
前記地面に埋没した根元に押圧挿入される直交する短軸部用案内固定板と切欠きを有する長軸部用案内固定板とからなる差し込み拡張板部と、
前記差し込み拡張板部が固着されるテーパ部を有する栓と、
前記栓が固定手段を介して固定され、かつ前記切断された標識柱の基部を保持する標識柱保持部と、
前記標識柱保持部に設けられた前記切断された標識柱の基部を固定するための締結機構と、を有し、
前記根枷が前記標識柱を貫通する棒材により構成され、前記長軸部用案内固定板の前記切り欠きが前記棒材を回避し、
前記栓の前記テーパ部が、前記差し込み拡張板部が前記地面に埋没した根元に押圧挿入された後に、前記地面に埋没した根元の開口部を塞ぐように押圧挿入されており、
前記切り欠きが、前記標識柱を上方から平面視したときにその水平断面における中心部近傍に配置されていることを特徴とする切断標識保持具。
【請求項２】
根枷を有する切断された標識柱の地面に埋没した根元に押圧挿入され、前記切断された標識柱の基部を起立固定するための切断標識保持具であって、
前記地面に埋没した根元に押圧挿入される短軸部用案内固定板と長軸部用案内固定板とからなる２組の差し込み拡張板部と、
前記２組の差し込み拡張板部が隙間を開けて固着されるテーパ部を有する栓と、
前記栓が固定手段を介して固定され、かつ前記切断された標識柱の基部を保持する標識柱保持部と、
前記標識柱保持部に設けられた前記切断された標識柱の基部を固定するための締結機構と、を有し、
前記根枷が前記標識柱を貫通する棒材により構成され、前記２組の差し込み拡張板部の間の前記隙間が前記棒材を回避し、
前記栓の前記テーパ部が、前記差し込み拡張板部が前記地面に埋没した根元に押圧挿入された後に、前記地面に埋没した根元の開口部を塞ぐように押圧挿入されており、
前記隙間が、前記標識柱を上方から平面視したときにその水平断面における中心部近傍に配置されていることを特徴とする切断標識保持具。
【請求項３】
前記栓を前記標識柱保持部に固定するための前記固定手段が、複数の矩形状の固定板であって、下端に前記地面に埋没した根元との干渉を防ぐためのニゲを有することを特徴とする請求項１又は２に記載の切断標識保持具。
【請求項４】
前記標識柱保持部が、四角断面を有する角筒形状を有し、外周面の前記地面に埋没した根元と接する側に、内部に溜まった雨水を外部に逃がすための穴又はニゲを有することを特徴とする請求項１乃至３のいずれか１項に記載の切断標識保持具。
【請求項５】
前記締結機構は、前記標識柱保持部の四周面の各面の中央線上、上下２箇所、計８箇所に設けられ、ナット部とこれに螺合するねじとより成り、前記標識柱保持部に挿入される前記切断された標識柱の基部を四周方向上下より押込固定できるようにしてなることを特徴とする請求項１乃至４のいずれか１項に記載の切断標識保持具。
【発明の詳細な説明】
【技術分野】
【０００１】
本発明は、自動車等の衝突や接触により、根元から切断されたり、又は折り曲げられることで根元にひびが入ったために折り取られたりした、根枷を有する標識柱を、元の機能を損なわずに保持するための切断標識保持具に関するものである。
【背景技術】
【０００２】
現在、道路の側辺には多くの標識柱やミラー設置柱等が設置されているのは周知の通りである。しかし、これら標識柱やミラー設置柱は、自動車等の衝突により曲げられたり、切断されてしまう場合が多々ある。この場合、新たな標識柱やミラー設置柱を再度設置することも考えられるが、多くのコストがかかってしまうという問題があった。
【０００３】
そこで、例えば特許文献１には、元の切断された標識を迅速に原位置に保持させて起立再生することができる切断標識保持具に関する技術が開示されている。特許文献１に記載された切断標識保持具３０について、図７（ａ）を参照しつつ以下に説明する。
【０００４】
特許文献１の切断標識保持具３０は、切断された標識柱の地面に埋没した根元に挿入され、切断された標識柱の基部を再度地面に起立固定するための保持具である。そして、切断標識保持具３０は、地面に埋没した根元に押圧挿入される長軸部用案内固定板３２と短軸部用案内固定板３３とからなる差し込み拡張板部３１を有している。更に、切断標識保持具３０は、差し込み拡張板部３１が固着されるテーパ部を有する栓３４と、切断された標識柱の基部を保持する標識柱保持部３７を有している。
【０００５】
そして、切断標識保持具３０の差し込み拡張板部３１が地中に埋没した根元に押圧挿入された後に、栓３４のテーパ部が地中に埋没した根元の開口部を塞ぐように押圧挿入される。その結果、地中に残った標識柱の内部に水が溜まらず、切断された標識柱を再度地面に設置することができる。
【先行技術文献】
【特許文献】
【０００６】
【特許文献１】特開２０１５−１１３６３９号公報
【発明の概要】
【発明が解決しようとする課題】
【０００７】
しかし、上記した特許文献１の切断標識保持具３０は、地中に残った標識柱の内部に水が溜まるのを防止することができるものの、図７（ｂ）に示したような切断された標識柱の地面に残った根枷Ｇを有する標識柱に使用する場合には以下のような問題があった。
【０００８】
すなわち、根枷Ｇを有する地中に残った標識柱６０は、図７（ｂ）に示したように標識柱６０を貫通するように棒材４０を１本、若しくは２本有している。これらの棒材４０は、標識柱６０の転倒防止や回転防止に有効に機能する。しかし、このような根枷Ｇを有する地中に残った標識柱６０に上記した切断標識保持具３０を挿入すると、切断標識保持具３０の長軸部用案内固定板３２が棒材４０と干渉してしまう深さにあるものがあり、その場合には切断標識保持具３０を設置できないという課題があった。
【０００９】
本発明は、上記課題を解決するためになされたものであり、地中に残った根枷を有する標識柱にも使用することができる切断標識保持具を提供することを目的とする。
【課題を解決するための手段】
【００１０】
本発明は、上記課題を解決するため以下の構成を有する。
【００１１】
（１）根枷を有する切断された標識柱の地面に埋没した根元に押圧挿入され、前記切断された標識柱の基部を起立固定するための切断標識保持具であって、
前記地面に埋没した根元に押圧挿入される直交する短軸部用案内固定板と切欠きを有する長軸部用案内固定板とからなる差し込み拡張板部と、
前記差し込み拡張板部が固着されるテーパ部を有する栓と、
前記栓が固定手段を介して固定され、かつ前記切断された標識柱の基部を保持する標識柱保持部と、
前記標識柱保持部に設けられた前記切断された標識柱の基部を固定するための締結機構と、を有し、
前記根枷が前記標識柱を貫通する棒材により構成され、前記長軸部用案内固定板の前記切り欠きが前記棒材を回避し、
前記栓の前記テーパ部が、前記差し込み拡張板部が前記地面に埋没した根元に押圧挿入された後に、前記地面に埋没した根元の開口部を塞ぐように押圧挿入されることを特徴とする切断標識保持具。
【００１２】
（２）根枷を有する切断された標識柱の地面に埋没した根元に押圧挿入され、前記切断された標識柱の基部を起立固定するための切断標識保持具であって、
前記地面に埋没した根元に押圧挿入される短軸部用案内固定板と長軸部用案内固定板とからなる２組の差し込み拡張板部と、
前記２組の差し込み拡張板部が隙間を開けて固着されるテーパ部を有する栓と、
前記栓が固定手段を介して固定され、かつ前記切断された標識柱の基部を保持する標識柱保持部と、
前記標識柱保持部に設けられた前記切断された標識柱の基部を固定するための締結機構と、を有し、
前記根枷が前記標識柱を貫通する棒材により構成され、前記２組の差し込み拡張板部の間の前記隙間が前記棒材を回避し、
前記栓の前記テーパ部が、前記差し込み拡張板部が前記地面に埋没した根元に押圧挿入された後に、前記地面に埋没した根元の開口部を塞ぐように押圧挿入されることを特徴とする切断標識保持具。
【００１３】
（３）前記栓を前記標識柱保持部に固定するための前記固定手段が、複数の矩形状の固定板であって、下端に前記地面に埋没した根元との干渉を防ぐためのニゲを有することを特徴とする前記（１）又は（２）に記載の切断標識保持具。
【００１４】
（４）前記標識柱保持部が、四角断面を有する角筒形状を有し、外周面の前記地面に埋没した根元と接する側に、内部に溜まった雨水を外部に逃がすための穴又はニゲを有することを特徴とする前記（１）乃至（３）のいずれか１項に記載の切断標識保持具。
【００１５】
（５）前記締結機構は、前記標識柱保持部の四周面の各面の中央線上、上下２箇所、計８箇所に設けられ、ナット部とこれに螺合するねじとより成り、前記標識柱保持部に挿入される前記切断された標識柱の基部を四周方向上下より押込固定できるようにしてなることを特徴とする前記（１）乃至（４）のいずれか１項に記載の切断標識保持具。
【発明の効果】
【００１６】
本発明によれば、地中に残った根枷を有する標識柱にも使用することができる切断標識保持具を提供することができる。
【図面の簡単な説明】
【００１７】
【図１】実施例１の切断標識保持具の構成を示す斜視図
【図２】実施例１の切断標識保持具の縦断面図と横断面図
【図３】実施例１の切断標識保持具の側面の状態を示す図
【図４】実施例１の切断標識保持具の使用状態を示す断面図
【図５】実施例２の切断標識保持具の構成を示す図
【図６】実施例２の切断標識保持具の構成を示す斜視図
【図７】従来の切断標識保持具と根枷を有する地中に残った標識柱を示す図
【発明を実施するための形態】
【００１８】
本発明の実施するための形態を、図面を参照しつつ以下に説明する。
【実施例１】
【００１９】
本発明の切断標識保持具Ｘの構成を図１によって説明する。切断標識保持具Ｘは、図１（ａ）に示したように基本的には下方の差し込み拡張板部１と栓４、上部固定板５及び標識柱保持部７から構成されている。そして、差し込み拡張板部１は、短軸部用案内固定板３と長軸部用案内固定板２によって構成されている。なお、長軸部用案内固定板２の先端部は、図１（ａ）に示したように先細りの形状であれば、地中に残った標識柱に挿入しやすい。また、長軸部用案内固定板２は中央部に切り欠き部２ａを有している。この切り欠き部２ａの機能については後述する。栓４は、図１（ｂ）に示したように下方のテーパ形状を有するテーパ部４ｂと上方の円柱形状の円柱部４ａにより構成されている。短軸部用案内固定板３と長軸部用案内固定板２はともに栓４のテーパ部４ｂに固定されている。固定は、溶接，ロー付け等によって行ってもよいし、あるいはロストワックス，ダイキャスト等の型を用いて一体的に作製してもよい。また、短軸部用案内固定板３は長軸部用案内固定板２にも一部が固着されている。
【００２０】
上部固定板５（固定手段）は栓４の円柱部４ａの外周面に固定されており、短軸部用案内固定板３と長軸部用案内固定板２が固定された栓４を、標識柱保持部７に接続固定する機能を有している。なお、上部固定板５を栓４に固定する際には、図示したようにニゲ６が形成されるようにする。これは、栓４の頂部がハンマーなどで打たれた場合に、上部固定板５の損傷を防ぐためである。更に、上部固定板５の下端部にはニゲ５ａが設けられている。このニゲ５ａの機能については、後述する。標識柱保持部７の底面側の四隅には、図示したように切欠き７ａが設けられており、この切欠き７ａに上部固定板５が挿入され溶接等によって固定、接続される。標識柱保持部７は断面が矩形状の筒体であり、その外周面８には、各面２個ずつ計８個の締結機構９が設けられている。
【００２１】
図２は、完成した切断標識保持具Ｘの縦断面図と横断面図である。図２（ａ）に示した断面Ａ−Ａ，Ｂ−Ｂ，Ｃ−Ｃ，Ｄ−Ｄの断面図が、図２（ｂ）〜（ｅ）に示されている。
【００２２】
図３は、切断標識保持具の側面の状態を示す図である。図３（ａ）は、標識柱保持部７の外周面８の底部全周に複数の穴１０が形成されている。この穴１０は、標識柱保持部７の内部に侵入した雨水等を外に逃がすための穴である。図３（ｂ）は、標識柱保持部７の外周面８の底部全周に複数の小判状の切欠き１１が形成された状態を示し、図３（ｃ）は、円弧状の切欠き１２が形成された状態を示している。この小判状の切欠き１１、円弧状の切欠き１２も標識柱保持部７の内部に侵入した雨水等を外に逃がすために設けられている。
【００２３】
図４（ａ）、（ｂ）は、切断標識保持具Ｘを用いて切断された標識ａを補修した状態を示す図であり、図４（ｂ）は図４（ａ）を図中のＥの方向から見た図である。なお、この切断された標識柱ａは、既に述べた根枷Ｇを地中に有している。根枷Ｇとは、電柱や標識柱の転倒や沈下、傾斜または回転などを防ぐため電柱や標識柱の地中部分に取付ける支持部材をいう。図４では、根枷Ｇは地中に残った標識柱ａ１を図のように貫通する棒材４０で構成している。
【００２４】
切断標識保持具Ｘの差し込み拡張板部１を地中に残った標識柱ａ１の根元に挿入し、栓４の上部を打ち込み台を介してハンマーなどを用いて切断標識保持具Ｘを植え込む。この場合、切断標識保持具Ｘの長軸部用案内固定板２の切り欠き部２ａが根枷用Ｇの棒材４０と干渉しないように切断標識保持具Ｘを地中に残った標識柱ａ１に挿入する。なお、地中に残った標識柱ａ１の地表開口部は、栓４のテーパ部４ｂによって完全に塞がれた状態になる。したがって、地中に残った標識柱ａ１の内部に雨水等が溜まることはない。
【００２５】
また、標識柱保持部７の外周面８は、地表面において、地中に残った標識柱ａ１の外側に位置し、地中に残った標識柱ａ１が地表面から突き出たとしても干渉することはない。しかし、図４に示したように地中に残った標識柱ａ１が地表面から突き出て上部固定板５と干渉することは有り得るが、上部固定板５にはニゲ５ａが形成されているため、干渉することはない。この結果、標識柱保持部７の外周面８と地表との間に隙間が発生することはないので、地中に残った標識柱ａ１の内部に雨水等が侵入することはない。また、地表と切断標識保持具Ｘの間に隙間が生じることもない。
【００２６】
切断標識保持具Ｘの打ち込みが完了したら打ち込み台を外した後、切断された標識柱ａの基部を上側から挿入して、締結機構９の六角穴付き止めボルトによって固定する。
【００２７】
本実施例の切断標識保持具Ｘでは、栓４のテーパ部４ｂによって地中に残った標識柱ａ１の内部に雨水等が侵入することはなく衛生的である。また、標識柱保持部７の下端面に切欠きがあるため、上部から入った雨水等が該切欠きから外へ排出されるため、標識柱保持部の内部に雨水等が溜まることはない。更に、隙間がないため、子供等のつま先がひっかかることもない。そして、切断標識保持具Ｘは根枷Ｇの棒材４０に干渉することなく、地中に残った標識柱ａ１に問題なく打ち込むことができる。
【００２８】
本実施例によれば、地中に残った根枷を有する標識柱にも使用することができる切断標識保持具を提供することができる。
【実施例２】
【００２９】
本実施例の切断標識保持具について、図５，図６を参照しつつ以下に説明する。図５（ａ）は本実施例の切断標識保持具Ｙの断面図であり、図５（ｂ）は図５（ａ）のＦ方向から見た断面図、図５（ｃ）は底面図、図６は斜視図である。
【００３０】
切断標識保持具Ｙは、２組の差し込み拡張板部２３を有している。各差し込み拡張板部２３は、長軸部用案内固定板２０と短軸部用案内固定板２１を有している。長軸部用案内固定板２０は栓４に溶接等により固着されており、短軸部用案内固定板２１は栓４と長軸部用案内固定板２０の両方に溶接等により固着されている。このような構成を有することで、実施例１の切断標識保持具Ｘよりも大きな強度を有することになる。そして、切断標識保持具Ｙは２組の差し込み拡張板部２３の間には隙間２５を有しており、この隙間２５を既に述べた根枷Ｇの棒材４０が通り、切断標識保持具Ｘと根枷Ｇが干渉することはない。
【００３１】
本実施例によれば、地中に残った根枷を有する標識柱にも使用することができ、大きな強度を有する切断標識保持具を提供することができる。
【符号の説明】
【００３２】
１      差し込み拡張板部
２      長軸部用案内固定板
３      短軸部用案内固定板
４      栓
４ａ    円柱部
４ｂ    テーパ部
５      上部固定板（固定手段）
５ａ，６  ニゲ
７      標識柱保持部
８      外周面
９      締結機構
１０    穴
１１    小判状の切欠き
１２    円弧状の切欠き
２０    長軸部用案内固定板
２１    短軸部用案内固定板
２３    差し込み拡張板部
４０    棒材
ａ      切断された標識柱
ａ１    地中に残った標識柱
Ｇ      根枷
Ｘ，Ｙ  切断標識保持具
【図１】
0006321061.tif 000002
【図２】
0006321061.tif 000003
【図３】
0006321061.tif 000004
【図４】
0006321061.tif 000005
【図５】
0006321061.tif 000006
【図６】
0006321061.tif 000007
【図７】
0006321061.tif 000008